(57)【要約】【課題】複数の情報に関する優先度及びユーザの嗜好性に基づいて、取得された情報の中から優先的に表示する情報を適切に決定することが可能な情報表示装置を提供する。【解決手段】優先度記憶手段は、複数の情報に対して設定された、優先的に画面を表示する度合いを示す優先度を記憶する。嗜好性記憶手段は、表示画面に対するユーザの操作に基づいて、複数の情報に対するユーザの嗜好性を設定して記憶する。表示制御手段は、表示すべき２以上の情報が取得された場合に、優先度及び嗜好性の両方に基づいて、取得された情報のうち優先的に表示する情報を決定し、決定された情報に対応する画面を優先的に表示する制御を行う。これにより、複数の情報に関する優先度及びユーザの嗜好性に基づいて、取得された情報の中から優先的に表示する情報を適切に決定することができる。【選択図】図７
2011095993.tif 000002
【特許請求の範囲】
【請求項１】
複数の情報を取得して、取得された情報に基づいて画面を表示する制御を行う情報表示装置であって、
前記複数の情報に対して設定された、優先的に画面を表示する度合いを示す優先度を記憶する優先度記憶手段と、
表示画面に対するユーザの操作に基づいて、前記複数の情報に対するユーザの嗜好性を設定し、前記嗜好性を記憶する嗜好性記憶手段と、
表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段と、を備えることを特徴とする情報表示装置。
【請求項２】
前記表示制御手段は、
前記２以上の情報における前記優先度が異なる場合には、前記優先度が高い情報を優先的に表示すると決定し、
前記２以上の情報における前記優先度が同一である場合には、前記嗜好性が高い情報を優先的に表示すると決定することを特徴とする請求項１に記載の情報表示装置。
【請求項３】
前記表示制御手段は、
優先的に表示すると決定した情報については、当該情報の内容を示す画面を表示し、
優先的に表示すると決定しなかった情報については、当該情報の内容を示す画面を表示せずに、当該情報に対応するアイコンを表示することを特徴とする請求項１又は２に記載の情報表示装置。
【請求項４】
前記表示制御手段は、前記アイコンがユーザによって操作された場合、前記アイコンに対応する情報の内容を示す画面を表示することを特徴とする請求項３に記載の情報表示装置。
【請求項５】
前記表示制御手段は、前記アイコンがユーザによって操作された場合、前記アイコンが操作される前に表示されていた画面を最小化してアイコンで表示することを特徴とする請求項４に記載の情報表示装置。
【請求項６】
前記嗜好性記憶手段は、ユーザによって表示画面を切り替えるための操作が行われた場合、切り替え後の画面に対応する情報についての前記嗜好性を高く設定することを特徴とする請求項１乃至５のいずれか一項に記載の情報表示装置。
【請求項７】
前記複数の情報として、ＤＳＲＣ路側器が送信したＤＳＲＣ情報、ＤＳＳＳ路側器が送信したＤＳＳＳ情報、及びビーコン路側器が送信したビーコン情報のうちの少なくともいずれかの情報を取得することを特徴とする請求項１乃至６のいずれか一項に記載の情報表示装置。
【請求項８】
前記複数の情報として、ナビゲーション用の情報を取得することを特徴とする請求項１乃至７のいずれか一項に記載の情報表示装置。
【請求項９】
複数の情報を取得して、取得された情報に基づいて画面を表示する制御を行う装置によって実行される情報表示方法であって、
前記複数の情報に対して設定された、優先的に画面を表示する度合いを示す優先度を記憶する優先度記憶工程と、
表示画面に対するユーザの操作に基づいて、前記複数の情報に対するユーザの嗜好性を設定し、前記嗜好性を記憶する嗜好性記憶工程と、
表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御工程と、を備えることを特徴とする情報表示方法。
【請求項１０】
コンピュータを備えると共に、複数の情報を取得して、取得された情報に基づいて画面を表示する制御を行う装置によって実行される情報表示プログラムであって、
前記コンピュータを、
前記複数の情報に対して設定された、優先的に画面を表示する度合いを示す優先度を記憶する優先度記憶手段、
表示画面に対するユーザの操作に基づいて、前記複数の情報に対するユーザの嗜好性を設定し、前記嗜好性を記憶する嗜好性記憶手段、
表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段、として機能させることを特徴とする情報表示プログラム。
【発明の詳細な説明】
【技術分野】
【０００１】
本発明は、受信された各種の情報に対応する画面を表示するための処理を行う情報表示装置に関する。
【背景技術】
【０００２】
この種の技術が、例えば特許文献１及び２に提案されている。特許文献１には、運転者ごとの嗜好性情報に適合するように、運転者に提供する情報の種類や、運転者に情報を提供する頻度若しくは割合を変化させる技術が提案されている。特許文献２には、即時情報（安全運転支援情報または緊急メッセージ情報）を受信すると、即時情報を取得したことを示す緊急情報受信ダイアログを表示することが提案されている。
【先行技術文献】
【特許文献】
【０００３】
【特許文献１】特開２００７−８６８８０号公報
【特許文献２】特開２００９−６９０６２号公報
【発明の概要】
【発明が解決しようとする課題】
【０００４】
ところで、近年、ＤＳＲＣ（Ｄｅｄｉｃａｔｅｄ  Ｓｈｏｒｔ  Ｒａｎｇｅ  Ｃｏｍｍｕｎｉｃａｔｉｏｎ）やＤＳＳＳ（Ｄｒｉｖｉｎｇ  Ｓａｆｅｔｙ  Ｓｕｐｐｏｒｔ  Ｓｙｓｔｅｍｓ）やビーコンを用いて、路側器と車両に搭載された車載器との間で無線通信を行う通信システムが普及しつつある。この種の車載器においては、ＤＳＲＣ情報、ＤＳＳＳ情報、及びビーコン情報に対して画面を表示する際の優先度を予め設定して、表示すべき２以上の情報が同時に受信された場合に、当該優先度に基づいて優先的に表示する情報を決定するといった表示方法が用いられている。
【０００５】
例えば、当該表示方法では、ある情報に対応する画面の表示中に、当該情報よりも優先度が低い情報が割り込んだ場合には、現在の表示画面が継続され、割り込んだ情報は表示されない。これに対して、表示中の情報よりも優先度が高い情報が割り込んだ場合には、現在の表示画面から割り込んだ情報に対応する画面に切り替えられる。また、当該表示方法では、表示中の情報と優先度が同一である情報が割り込んだ場合には、現在の表示画面から割り込んだ情報に対応する画面に切り替えられる。
【０００６】
このような表示方法では、表示すべき情報に対するユーザの嗜好性が考慮されていないと言える。そのため、例えば、ユーザの嗜好に合う情報が表示された画面が強制的に消されて、ユーザの嗜好に合わない情報が表示されてしまう場合がある。なお、特許文献１及び２には、このような不具合を解決する手法については記載されていない。
【０００７】
本発明が解決しようとする課題は上記のようなものが例として挙げられる。本発明は、複数の情報に関する優先度及びユーザの嗜好性に基づいて、取得された複数の情報の中から優先的に表示する情報を適切に決定することが可能な情報表示装置、情報表示方法、及び情報表示プログラムを提供することを課題とする。
【課題を解決するための手段】
【０００８】
請求項１に記載の発明では、複数の情報を取得して、取得された情報に基づいて画面を表示する制御を行う情報表示装置は、前記複数の情報に対して設定された、優先的に画面を表示する度合いを示す優先度を記憶する優先度記憶手段と、表示画面に対するユーザの操作に基づいて、前記複数の情報に対するユーザの嗜好性を設定し、前記嗜好性を記憶する嗜好性記憶手段と、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段と、を備える。
【０００９】
請求項９に記載の発明では、複数の情報を取得して、取得された情報に基づいて画面を表示する制御を行う装置によって実行される情報表示方法は、前記複数の情報に対して設定された、優先的に画面を表示する度合いを示す優先度を記憶する優先度記憶工程と、表示画面に対するユーザの操作に基づいて、前記複数の情報に対するユーザの嗜好性を設定し、前記嗜好性を記憶する嗜好性記憶工程と、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御工程と、を備える。
【００１０】
請求項１０に記載の発明では、コンピュータを備えると共に、複数の情報を取得して、取得された情報に基づいて画面を表示する制御を行う装置によって実行される情報表示プログラムは、前記コンピュータを、前記複数の情報に対して設定された、優先的に画面を表示する度合いを示す優先度を記憶する優先度記憶手段、表示画面に対するユーザの操作に基づいて、前記複数の情報に対するユーザの嗜好性を設定し、前記嗜好性を記憶する嗜好性記憶手段、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段、として機能させる。
【図面の簡単な説明】
【００１１】
【図１】実施例に係るナビゲーション装置の概略構成を示す。
【図２】実施例に係る通信システムの概略構成を示す。
【図３】ＤＳＲＣ情報、ＤＳＳＳ情報、及びビーコン情報の具体例を示す。
【図４】比較例に係る表示制御方法を行った場合の不具合を説明するための図を示す。
【図５】既存情報よりも優先度が低い情報が割り込んだ場合に、本実施例に係る表示制御方法によって表示される画面例を示す。
【図６】既存情報と優先度が同一の情報が割り込んだ場合に、本実施例に係る表示制御方法によって表示される画面例を示す。
【図７】本実施例における表示制御フローを示す。
【図８】本実施例における切り替えポイントの設定フローを示す。
【発明を実施するための形態】
【００１２】
本発明の１つの観点では、複数の情報を取得して、取得された情報に基づいて画面を表示する制御を行う情報表示装置は、前記複数の情報に対して設定された、優先的に画面を表示する度合いを示す優先度を記憶する優先度記憶手段と、表示画面に対するユーザの操作に基づいて、前記複数の情報に対するユーザの嗜好性を設定し、前記嗜好性を記憶する嗜好性記憶手段と、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段と、を備える。
【００１３】
上記の情報表示装置は、複数の情報を取得して、取得された情報に基づいて画面を表示する制御を行うために好適に利用される。優先度記憶手段は、複数の情報に対して設定された、優先的に画面を表示する度合いを示す優先度を記憶する。優先度は、例えば、情報の配信側で設定される、若しくは、情報表示装置側で設定される。嗜好性記憶手段は、表示画面に対するユーザの操作に基づいて、複数の情報に対するユーザの嗜好性を設定して記憶する。表示制御手段は、表示すべき２以上の情報が取得された場合に、優先度及び嗜好性の両方に基づいて、取得された情報のうち優先的に表示する情報を決定し、決定された情報に対応する画面を優先的に表示する制御を行う。これにより、複数の情報に関する優先度及びユーザの嗜好性に基づいて、取得された情報の中から優先的に表示する情報を適切に決定することができる。
【００１４】
上記の情報表示装置の一態様では、前記表示制御手段は、前記２以上の情報における前記優先度が異なる場合には、前記優先度が高い情報を優先的に表示すると決定し、前記２以上の情報における前記優先度が同一である場合には、前記嗜好性が高い情報を優先的に表示すると決定する。
【００１５】
この態様によれば、取得された情報の優先度が同一である場合に、ユーザの嗜好に合う情報やユーザにとって必要な情報を適切に表示させることができる。
【００１６】
上記の情報表示装置の他の一態様では、前記表示制御手段は、優先的に表示すると決定した情報については、当該情報の内容を示す画面を表示し、優先的に表示すると決定しなかった情報については、当該情報の内容を示す画面を表示せずに、当該情報に対応するアイコンを表示する。
【００１７】
この態様では、表示制御手段は、優先的に表示すると決定した情報については、当該情報の内容を示す画面を表示する。ここで、情報の内容を示す画面を表示するとは、当該情報が有する画像データを表示することを意味する。一方、表示制御手段は、優先的に表示すると決定しなかった情報については、当該情報に対応するアイコンを表示する。ここで、情報に対応するアイコンを表示するとは、当該情報の種類などを示す名称が表示された、ユーザが操作可能なボタンを表示することを意味する。
【００１８】
このように、表示制御手段は、取得された情報のうち、その内容が表示されない情報については、当該情報に対応するアイコンを表示する。そのため、取得された全ての情報について、ユーザに表示させる機会を与えることができる。
【００１９】
上記の情報表示装置において好適には、前記表示制御手段は、前記アイコンがユーザによって操作された場合、前記アイコンに対応する情報の内容を示す画面を表示することができる。つまり、表示画面を切り替えることができる。これにより、ユーザは、アイコンの押下といった簡便な操作で、表示画面を切り替えることができる。ここで、表示画面の切り替えとは、ある情報の内容が示された画面を、別の情報の内容が示された画面に切り替えることを意味する。
【００２０】
また、好適には、前記表示制御手段は、前記アイコンがユーザによって操作された場合、前記アイコンが操作される前に表示されていた画面を最小化してアイコンで表示することができる。この場合、表示制御手段は、アイコンがユーザによって操作された場合に、既に表示されている情報の内容が示された画面を閉じて、当該情報に対応するアイコンを表示する。
【００２１】
上記の情報表示装置の他の一態様では、前記嗜好性記憶手段は、ユーザによって表示画面を切り替えるための操作が行われた場合、切り替え後の画面に対応する情報についての前記嗜好性を高く設定する。この態様によれば、各情報ごとにユーザの嗜好性を適切に設定することができる。
【００２２】
好適な例では、上記の情報表示装置は、前記複数の情報として、ＤＳＲＣ路側器が送信したＤＳＲＣ情報、ＤＳＳＳ路側器が送信したＤＳＳＳ情報、及びビーコン路側器が送信したビーコン情報のうちの少なくともいずれかの情報を取得する。
【００２３】
また、好適な例では、上記の情報表示装置は、前記複数の情報として、ナビゲーション用の情報を取得する。
【００２４】
本発明の他の観点では、複数の情報を取得して、取得された情報に基づいて画面を表示する制御を行う装置によって実行される情報表示方法は、前記複数の情報に対して設定された、優先的に画面を表示する度合いを示す優先度を記憶する優先度記憶工程と、表示画面に対するユーザの操作に基づいて、前記複数の情報に対するユーザの嗜好性を設定し、前記嗜好性を記憶する嗜好性記憶工程と、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御工程と、を備える。
【００２５】
本発明の更に他の観点では、コンピュータを備えると共に、複数の情報を取得して、取得された情報に基づいて画面を表示する制御を行う装置によって実行される情報表示プログラムは、前記コンピュータを、前記複数の情報に対して設定された、優先的に画面を表示する度合いを示す優先度を記憶する優先度記憶手段、表示画面に対するユーザの操作に基づいて、前記複数の情報に対するユーザの嗜好性を設定し、前記嗜好性を記憶する嗜好性記憶手段、表示すべき２以上の情報が取得された場合に、前記優先度及び前記嗜好性に基づいて、前記取得された情報のうち優先的に表示する情報を決定し、前記決定された情報に対応する画面を優先的に表示する制御を行う表示制御手段、として機能させる。
【００２６】
上記の情報表示方法及び情報表示プログラムによっても、複数の情報に関する優先度及びユーザの嗜好性に基づいて、取得された情報の中から優先的に表示する情報を適切に決定することができる。
【実施例】
【００２７】
以下、図面を参照して本発明の好適な実施例について説明する。なお、以下の説明は、本発明を車両用のナビゲーション装置に適用した例を示す。
【００２８】
［ナビゲーション装置］
図１に、ナビゲーション装置１の構成を示す。図１に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、及び入力装置６０を備える。
【００２９】
自立測位装置１０は、加速度センサ１１、角速度センサ１２及び距離センサ１３を備え、自立測位センサとして機能する。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３０】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３１】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。
【００３２】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３３】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３４】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３５】
データ記憶ユニット３６は、例えば、ＨＤＤなどにより構成され、地図データや施設データなどのナビゲーション処理に用いられる各種データを記憶するユニットである。
【００３６】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ）センタなどから配信される情報を取得する。
【００３７】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。
【００３８】
音声出力ユニット５０は、システムコントローラ２０の制御の下、ＣＤ−ＲＯＭドライブ３１又はＤＶＤ−ＲＯＭ３２、又はＢＤ−ＲＯＭ、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３９】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４０】
［通信システム］
次に、図２を参照して、上記したナビゲーション装置１を適用した通信システム１００について説明する。図２は、通信システム１００の概略構成を示す。
【００４１】
通信システム１００は、主に、ＤＳＲＣ路側器９１ａと、ＤＳＳＳ路側器９１ｂと、ビーコン路側器９１ｃと、ＤＳＲＣ車載器９２ａと、ＤＳＳＳ車載器９２ｂと、ビーコン車載器９２ｃと、ナビゲーション装置１とを備える。なお、図２では、ナビゲーション装置１について、路車間通信を行う場合の最小限の構成要素のみを図示している。
【００４２】
通信システム１００は、路側器９１ａ〜９１ｃと車載器９２ａ〜９２ｃとの間で所定の通信を行う路車間通信システムである。ＤＳＲＣ路側器９１ａ、ＤＳＳＳ路側器９１ｂ、及びビーコン路側器９１ｃは、それぞれ、道路などに設置され、外部から取得された情報をＤＳＲＣ車載器９２ａ、ＤＳＳＳ車載器９２ｂ、及びビーコン車載器９２ｃに送信する。
【００４３】
なお、「ＤＳＲＣ」は専用狭域通信（Ｄｅｄｉｃａｔｅｄ  Ｓｈｏｒｔ  Ｒａｎｇｅ  Ｃｏｍｍｕｎｉｃａｔｉｏｎ）を意味し、「ＤＳＳＳ」は安全運転支援システム（Ｄｒｉｖｉｎｇ  Ｓａｆｅｔｙ  Ｓｕｐｐｏｒｔ  Ｓｙｓｔｅｍｓ）を意味する。以下では、ＤＳＲＣで用いる情報、ＤＳＳＳで用いる情報、及びビーコンで用いる情報を、それぞれ、「ＤＳＲＣ情報」、「ＤＳＳＳ情報」、及び「ビーコン情報」と呼ぶ。なお、ＤＳＲＣ情報、ＤＳＳＳ情報、及びビーコン情報は、特定の１つの情報を指すわけではなく、それぞれに複数の種類の情報が含まれる。例えば、ＤＳＲＣ情報には、電子標識や注意警戒情報などが含まれる。
【００４４】
ＤＳＲＣ車載器９２ａ、ＤＳＳＳ車載器９２ｂ、及びビーコン車載器９２ｃは、それぞれ、車両に搭載され、ＤＳＲＣ路側器９１ａ、ＤＳＳＳ路側器９１ｂ、及びビーコン路側器９１ｃから送信された情報を受信し、受信した情報をナビゲーション装置１へ送信する。
【００４５】
ナビゲーション装置１は、主に、システムコントローラ２０と、通信装置３８と、表示ユニット４０と、を備える。通信装置３８は、ＤＳＲＣ車載器９２ａ、ＤＳＳＳ車載器９２ｂ、及びビーコン車載器９２ｃから送信された情報を受信し、受信した情報をシステムコントローラ２０に出力する。
【００４６】
システムコントローラ２０は、データ管理部２０ａと、表示制御部２０ｂと、ナビ用ＵＩ（Ｕｓｅｒ  Ｉｎｔｅｒｆａｃｅ）２０ｃとを備える。データ管理部２０ａは、表示すべき複数の情報（ＤＳＲＣ情報、ＤＳＳＳ情報、ビーコン情報など）に対して予め設定された、優先的に画面を表示する度合いを示す優先度を記憶する。また、データ管理部２０ａは、表示画面に対するユーザの操作に基づいて、このような複数の情報に対するユーザの嗜好性を設定して、当該嗜好性を記憶する。
【００４７】
表示制御部２０ｂは、データ管理部２０ａで管理されている優先度及び嗜好性に基づいて、ナビ用ＵＩ２０ｃに対して画面を表示するための制御を行う。具体的には、表示制御部２０ｂは、取得された複数の情報のうち優先的に表示する情報を決定し、決定された情報に対応する画面を優先的に表示するための制御を行う。ナビ用ＵＩ２０ｃは、表示制御部２０ｂの制御に基づき、表示ユニット４０に対して画面を表示するための処理を行う。
【００４８】
このように、システムコントローラ２０は、情報表示装置に相当し、優先度記憶手段、嗜好性記憶手段、及び表示制御手段として機能する。
【００４９】
表示ユニット４０は、ナビ用ＵＩ２０ｃによる処理後の情報に対応する画面を表示する。また、表示ユニット４０は、ディスプレイ４４がタッチパネル方式で構成されており、ユーザがディスプレイ４４を操作することで入力した情報を取得する。
【００５０】
ここで、図３を参照して、ＤＳＲＣ情報、ＤＳＳＳ情報、及びビーコン情報の具体例について説明する。ビーコン情報には、例えばビーコン緊急情報やビーコン即時情報がある。ビーコン緊急情報は、緊急情報であり、優先度は「高」である。ビーコン即時情報は、一般情報であり、優先度は「低」である。ＤＳＲＣ情報には、例えばＤＳＲＣ電子標識やＤＳＲＣ安全運転支援情報やＤＳＲＣ注意警戒情報がある。ＤＳＲＣ電子標識は、一般情報であり、優先度は「低」である。ＤＳＲＣ安全運転支援情報は、最優先情報であり、優先度は「高」である。ＤＳＲＣ注意警戒情報は、優先情報であり、優先度は「中」である。ＤＳＳＳ情報は、優先情報であり、優先度は「中」である。
【００５１】
なお、上記したビーコン緊急情報、ビーコン即時情報、ＤＳＲＣ電子標識、ＤＳＲＣ安全運転支援情報、及びＤＳＲＣ注意警戒情報は、特定の１つの情報を指すわけではなく、それぞれに複数の種類の情報が含まれる。
【００５２】
なお、図３では優先度を「高」、「中」、「低」で表す例を示したが、このような優先度を用いることに限定はされない。他の例では、数値で表された優先度を用いることができる。例えば、優先度として「１００」、「７０」、「０」を用いることができる。また、３段階に規定された優先度を用いることに限定はされず、４以上の段階で規定された優先度を用いても良い。
【００５３】
［表示制御方法］
次に、本実施例においてシステムコントローラ２０が実行する表示制御方法について説明する。
【００５４】
本実施例では、システムコントローラ２０は、表示すべき２以上の情報（ＤＳＲＣ情報、ＤＳＳＳ情報、ビーコン情報など）が取得された場合に、上記したような優先度及び嗜好性に基づいて、取得された情報のうち優先的に表示する情報を決定し、決定された情報に対応する画面を優先的に表示する制御を行う。具体的には、システムコントローラ２０は、２以上の情報における優先度が異なる場合には、優先度が高い情報を優先的に表示し、これに対して、２以上の情報における優先度が同一である場合には、嗜好性が高い情報を優先的に表示する。
【００５５】
図４を参照して、このような表示制御方法を行う理由を説明する。図４は、比較例に係る表示制御方法を行った場合の不具合を説明するための図を示す。
【００５６】
比較例に係る表示制御方法では、ＤＳＲＣ情報、ＤＳＳＳ情報、及びビーコン情報に対して設定された優先度のみに基づいて優先的に表示する情報を決定して、決定された情報に対応する画面を優先的に表示する制御を行う。具体的には、比較例に係る表示制御方法では、ある情報に対応する画面の表示中に、当該情報よりも優先度が低い情報が割り込んだ場合には、現在の表示画面を継続し、割り込んだ情報は表示しない。これに対して、表示中の情報よりも優先度が高い情報が割り込んだ場合には、現在の表示画面から割り込んだ情報に対応する画面に切り替える。また、比較例に係る表示制御方法では、表示中の情報と優先度が同一である情報が割り込んだ場合には、現在の表示画面から割り込んだ情報に対応する画面に切り替える。
【００５７】
図４（ａ）〜（ｄ）は、ある情報に対応する画面の表示中に当該情報とは異なる情報が割り込んだ場合に、比較例に係る表示制御方法によって表示される画面を示している。具体的には、図４（ａ）及び（ｂ）は、表示中の情報と優先度が異なる情報が割り込んだ場合の例を示しており、図４（ｃ）及び（ｄ）は、表示中の情報と優先度が同一である情報が割り込んだ場合の例を示している。なお、図４（ａ）〜（ｄ）は、それぞれ横方向に時間を示している。
【００５８】
図４（ａ）は、ビーコン緊急情報を表示している際にＤＳＲＣ電子標識が割り込んだ場合の例を示している。割り込んだＤＳＲＣ電子標識は、表示されているビーコン緊急情報よりも優先度が低い。そのため、比較例に係る表示制御方法によれば、ＤＳＲＣ電子標識が割り込んでも、ビーコン緊急情報がそのまま表示され、ＤＳＲＣ電子標識は表示されない。この場合、基本的には、ＤＳＲＣ電子標識を表示させることはできない。なお、ビーコン緊急情報の表示が継続されること自体は、優先度の高い情報を優先的に表示することとした結果であるため、特に問題はない。
【００５９】
図４（ｂ）は、ＤＳＲＣ電子標識を表示している際にビーコン緊急情報が割り込んだ場合の例を示している。割り込んだビーコン緊急情報は、表示されているＤＳＲＣ電子標識よりも優先度が高い。そのため、比較例に係る表示制御方法によれば、ビーコン緊急情報が割り込んだ際に、ＤＳＲＣ電子標識からビーコン緊急情報へ表示画面が切り替えられる。この場合、基本的には、表示画面の切り替え後は、ＤＳＲＣ電子標識を表示させることはできない。なお、表示画面の切り替え自体は、優先度の高い情報を優先的に表示することとした結果であるため、特に問題はない。
【００６０】
図４（ｃ）は、ビーコン即時情報を表示している際にＤＳＲＣ電子標識が割り込んだ場合の例を示している。割り込んだＤＳＲＣ電子標識は、表示されているビーコン即時情報と優先度が同一である。そのため、比較例に係る表示制御方法によれば、ＤＳＲＣ電子標識が割り込んだ際に、ビーコン即時情報からＤＳＲＣ電子標識へ表示画面が切り替えられる。この場合、基本的には、表示画面の切り替え後は、ビーコン即時情報を表示させることはできない。
【００６１】
図４（ｄ）は、ＤＳＲＣ電子標識を表示している際にビーコン即時情報が割り込んだ場合の例を示している。割り込んだビーコン即時情報は、表示されているＤＳＲＣ電子標識と優先度が同一である。そのため、比較例に係る表示制御方法によれば、ビーコン即時情報が割り込んだ際に、ＤＳＲＣ電子標識からビーコン即時情報へ表示画面が切り替えられる。この場合、基本的には、表示画面の切り替え後は、ＤＳＲＣ電子標識を表示させることはできない。
【００６２】
ここで、表示中の情報と優先度が同一である情報が割り込んだ場合には、いずれの情報を表示させるのかを決定する際に優先度には縛られないため、ユーザの好みや必要性に応じて自由に情報を見る機会を与えるべきであるものと考えられる。しかしながら、比較例に係る表示制御方法では、図４（ｃ）及び図４（ｄ）に示すように、後に取得された情報（割り込んだ情報）に対応する画面に強制的に切り替わる。そのため、例えば、ユーザの嗜好に合う情報やユーザにとって必要な情報が表示された画面が強制的に消されて、ユーザの嗜好に合わない情報やユーザにとって必要でない情報が表示されてしまう可能性があると言える。
【００６３】
なお、表示中の情報と優先度が同一である情報が割り込んだ場合に、現在の表示画面を継続し、割り込んだ情報は表示しないといった表示制御方法もあるが、この方法でも、比較例に係る表示制御方法と同様の不具合が生じる傾向にある。例えば、当該方法では、ユーザの嗜好に合わない情報やユーザにとって必要でない情報が表示され続け、ユーザの嗜好に合う情報やユーザにとって必要な情報が表示されない可能性がある。
【００６４】
以上のことから、本実施例では、同時に表示すべき２以上の情報が取得された場合に、優先度だけでなくユーザの嗜好性も考慮して、取得された情報の中から優先的に表示する情報を決定する。具体的には、システムコントローラ２０は、取得された２以上の情報における優先度が異なる場合には、優先度が高い情報を優先的に表示し、これに対して、当該２以上の情報における優先度が同一である場合には、ユーザの嗜好性が高い情報を優先的に表示する。この場合、システムコントローラ２０は、優先的に表示すると決定した情報については、当該情報の内容を示す画面を表示する。これに対して、システムコントローラ２０は、優先的に表示すると決定しなかった情報については、当該情報の内容を示す画面を表示せずに、当該情報に対応するアイコンを表示する。
【００６５】
具体的には、システムコントローラ２０は、ある情報に対応する画面の表示中に、当該情報とは異なる情報が割り込んだ場合に、下記のような表示制御を行う。なお、以下では、既に表示している画面を「既存画面」と呼び、既存画面に用いている情報を「既存情報」と呼ぶ。また、既存画面の表示中に割り込んだ情報（つまり受信された情報）を「割り込み情報」と呼び、割り込み情報の内容に対応する画面を「割り込み画面」と呼ぶ。
【００６６】
システムコントローラ２０は、既存画面を表示中に、既存情報よりも優先度が低い割り込み情報が割り込んだ場合、既存画面を継続して表示し、割り込み画面を表示しない。この場合、システムコントローラ２０は、割り込み情報に対応するアイコンを表示する。つまり、システムコントローラ２０は、別の情報が割り込んだことをアイコンでユーザに通知する。これに対して、システムコントローラ２０は、既存画面を表示中に、既存情報よりも優先度が高い割り込み情報が割り込んだ場合、既存画面から割り込み画面へ表示画面を切り替える。この場合、システムコントローラ２０は、既存画面を最小化して、既存情報に対応するアイコンを表示する。
【００６７】
一方、システムコントローラ２０は、既存画面を表示中に、既存情報と優先度が同一である割り込み情報が割り込んだ場合、既存情報及び割り込み情報のうちユーザの嗜好性が高い情報を表示する。具体的には、システムコントローラ２０は、既存情報のほうが割り込み情報よりも嗜好性が高い場合には、既存画面を継続して表示すると共に、割り込み情報に対応するアイコンを表示する。これに対して、システムコントローラ２０は、割り込み情報のほうが既存情報よりも嗜好性が高い場合には、既存画面から割り込み画面へ表示画面を切り替えると共に、既存画面を最小化して、既存情報に対応するアイコンを表示する。
【００６８】
また、本実施例では、システムコントローラ２０は、上記したようなアイコンがユーザによって操作された場合、当該アイコンに対応する情報の内容を示す画面を表示する。つまり、表示画面の切り替えを行う。この場合、システムコントローラ２０は、既存画面を最小化して、既存情報に対応するアイコンを表示する。
【００６９】
更に、本実施例では、システムコントローラ２０は、ユーザがアイコンを操作して表示画面を切り替えた場合に、切り替え後の画面に対応する情報（即ち、当該アイコンに対応する情報）についての嗜好性を高く設定する。こうするのは、ユーザが表示画面を切り替える操作を行った場合には、切り替え後の画面に対応する情報は、ユーザの嗜好に合う情報若しくはユーザが必要であると感じた情報であると言えるからである。具体的には、システムコントローラ２０は、ユーザの嗜好性として、数値化されたポイント（以下、「切り替えポイント」と呼ぶ。）を用いる。この場合、システムコントローラ２０は、ユーザが表示画面を切り替える操作を行う毎に、切り替えポイントを加算していく。そのため、１つの情報に対して設定された切り替えポイントは、ユーザが当該情報に対応する表示画面に切り替えた回数を示すものとなる。
【００７０】
以上説明した本実施例に係る表示制御方法によれば、複数の情報に関する優先度及びユーザの嗜好性に基づいて、取得された情報の中から優先的に表示する情報を適切に決定することができる。特に、取得された情報の優先度が同一である場合に、ユーザの嗜好に合う情報やユーザにとって必要な情報を適切に表示させることができる。
【００７１】
また、本実施例に係る表示制御方法では、取得された情報のうち、その内容が表示されない情報については、当該情報に対応するアイコンが表示される。そのため、取得された全ての情報について、ユーザに表示させる機会を与えることができる。この場合、ユーザは、アイコンの押下といった簡便な操作で、表示画面を切り替えることができる。
【００７２】
（表示画面例）
次に、図５及び図６を参照して、本実施例に係る表示制御方法による表示画面例を説明する。
【００７３】
図５は、既存情報よりも優先度が低い情報が割り込んだ場合に、本実施例に係る表示制御方法によって表示される表示画面例を示している。図５では、既存情報としてビーコン緊急情報を例示し、割り込み情報としてＤＳＲＣ電子標識を例示している。なお、図５では、ハッチングの違いにより表示画面の違いを表現している。
【００７４】
図５（ａ）は、ビーコン緊急情報に対応する画面Ａ１ａが表示された表示画面Ａ１を示している。図５（ｂ）は、図５（ａ）に示した表示画面Ａ１の表示中にＤＳＲＣ電子標識が割り込んだ場合に表示される表示画面Ａ２を示している。図５（ｂ）に示すように、割り込んだＤＳＲＣ電子標識は表示中のビーコン緊急情報よりも優先度が低いため、ビーコン緊急情報に対応する画面Ａ２ａが継続して表示され、ＤＳＲＣ電子標識に対応する画面は表示されない。この場合、割り込んだＤＳＲＣ電子標識に対応するアイコンＡ２ｂが表示される。このようなアイコンＡ２ｂによって、ＤＳＲＣ電子標識が受信されたことがユーザに通知される。
【００７５】
図５（ｃ）は、図５（ｂ）中のアイコンＡ２ｂがユーザによって操作された場合に表示される表示画面Ａ３を示している。図５（ｃ）に示すように、ユーザがアイコンＡ２ｂを押下することで、アイコンＡ２ｂに対応するＤＳＲＣ電子標識を示す画面Ａ３ａが表示される。つまり、ビーコン緊急情報に対応する画面Ａ２ａからＤＳＲＣ電子標識に対応する画面Ａ３ａへ表示画面が切り替えられる。この場合、ビーコン緊急情報に対応する画面Ａ２ａは最小化され、ビーコン緊急情報に対応するアイコンＡ３ｂが表示される。このように表示画面が切り替えられた場合、ＤＳＲＣ電子標識の切り替えポイントが加算される。
【００７６】
図６は、既存情報と優先度が同一の情報が割り込んだ場合に、本実施例に係る表示制御方法によって表示される表示画面例を示している。図６では、既存情報としてＤＳＲＣ電子標識を例示し、割り込み情報としてビーコン即時情報を例示している。また、ここでは、ＤＳＲＣ電子標識のほうがビーコン即時情報よりも切り替えポイントが高い場合を考える。これは、ＤＳＲＣ電子標識に表示画面を切り替えた回数が、ビーコン即時情報に表示画面を切り替えた回数よりも多いことを意味している。なお、図６では、ハッチングの違いにより表示画面の違いを表現している。
【００７７】
図６（ａ）は、ＤＳＲＣ電子標識に対応する画面Ｂ１ａが表示された表示画面Ｂ１を示している。図６（ｂ）は、図６（ａ）に示した表示画面Ｂ１の表示中にビーコン即時情報が割り込んだ場合に表示される表示画面Ｂ２を示している。図６（ｂ）に示すように、割り込んだビーコン即時情報は表示中のＤＳＲＣ電子標識よりも切り替えポイントが低いため、ＤＳＲＣ電子標識に対応する画面Ｂ２ａが継続して表示され、ビーコン即時情報に対応する画面は表示されない。この場合、割り込んだビーコン即時情報に対応するアイコンＢ２ｂが表示される。このようなアイコンＢ２ｂによって、ビーコン即時情報が受信されたことがユーザに通知される。
【００７８】
図６（ｃ）は、図６（ｂ）中のアイコンＢ２ｂがユーザによって操作された場合に表示される表示画面Ｂ３を示している。図６（ｃ）に示すように、ユーザがアイコンＢ２ｂを押下することで、アイコンＢ２ｂに対応するビーコン即時情報を示す画面Ｂ３ａが表示される。つまり、ＤＳＲＣ電子標識に対応する画面Ｂ２ａからビーコン即時情報に対応する画面Ｂ３ａへ表示画面が切り替えられる。この場合、ＤＳＲＣ電子標識に対応する画面Ｂ２ａは最小化され、ＤＳＲＣ電子標識に対応するアイコンＢ３ｂが表示される。このように表示画面が切り替えられた場合、ビーコン即時情報の切り替えポイントが加算される。
【００７９】
（表示制御フロー）
次に、図７を参照して、本実施例における表示制御フローについて説明する。このフローでは、主に、ある情報に対応する画面の表示中に当該情報とは異なる情報が割り込んだ場合に、いずれの情報を優先的に表示するかを決定して、決定された情報に対応する画面を優先的に表示させる処理が行われる。なお、当該フローは、システムコントローラ２０によって繰り返し実行される。
【００８０】
まず、ステップＳ１０１では、システムコントローラ２０は、表示すべき情報が割り込んだか否かを判定する。具体的には、システムコントローラ２０は、ＤＳＲＣ情報、ＤＳＳＳ情報、及びビーコン情報の少なくともいずれかが受信されたか否かを判定する。情報が割り込んだ場合（ステップＳ１０１；Ｙｅｓ）、処理はステップＳ１０２に進み、情報が割り込まなかった場合（ステップＳ１０１；Ｎｏ）、処理はステップＳ１０１に戻る。
【００８１】
ステップＳ１０２では、システムコントローラ２０は、情報に対応する画面を現在表示しているか否かを判定する。つまり、既存表示が有るか否かを判定する。既存表示が有る場合（ステップＳ１０２；Ｙｅｓ）、処理はステップＳ１０４に進む。これに対して、既存表示が無い場合（ステップＳ１０２；Ｎｏ）、処理はステップＳ１０３に進む。この場合、システムコントローラ２０は、ステップＳ１０１で割り込んだ情報に対応する画面を表示する、つまり割り込み画面を表示する（ステップＳ１０３）。そして、処理は終了する。
【００８２】
ステップＳ１０４では、システムコントローラ２０は、既存情報の優先度が割り込み情報の優先度よりも高いか否かを判定する。既存情報の優先度が割り込み情報の優先度よりも高い場合（ステップＳ１０４；Ｙｅｓ）、処理はステップＳ１０５に進む。この場合、システムコントローラ２０は、既存画面を継続して表示すると共に、割り込み情報に対応するアイコンを表示する、つまり別の情報が割り込んだことをアイコンで通知する（ステップＳ１０５）。そして、処理は終了する。
【００８３】
一方、既存情報の優先度が割り込み情報の優先度よりも高くない場合（ステップＳ１０４；Ｎｏ）、つまり既存情報の優先度が割り込み情報の優先度よりも低いか、若しくは既存情報及び割り込み情報の優先度が同一である場合、処理はステップＳ１０６に進む。
【００８４】
ステップＳ１０６では、システムコントローラ２０は、既存情報及び割り込み情報の優先度が同一であるか否かを判定する。優先度が同一である場合（ステップＳ１０６；Ｙｅｓ）、処理はステップＳ１０７に進む。これに対して、優先度が同一でない場合（ステップＳ１０６；Ｎｏ）、つまり既存情報の優先度が割り込み情報の優先度よりも低い場合、処理はステップＳ１０８に進む。この場合、システムコントローラ２０は、既存画面から割り込み画面へ表示画面を切り替えると共に、既存画面を最小化して、既存情報に対応するアイコンを表示する（ステップＳ１０８）。そして、処理は終了する。
【００８５】
ステップＳ１０７では、システムコントローラ２０は、割り込み情報の切り替えポイントが既存情報の切り替えポイントよりも高いか否かを判定する。ここでは、優先度が同一であるため、ユーザの嗜好性を示す切り替えポイントを用いて判定を行っている。割り込み情報の切り替えポイントが既存情報の切り替えポイントよりも高い場合（ステップＳ１０７；Ｙｅｓ）、処理はステップＳ１０８に進む。この場合、システムコントローラ２０は、既存画面から割り込み画面へ表示画面を切り替えると共に、既存画面を最小化して、既存情報に対応するアイコンを表示する（ステップＳ１０８）。そして、処理は終了する。
【００８６】
これに対して、割り込み情報の切り替えポイントが既存情報の切り替えポイントよりも高くない場合（ステップＳ１０７；Ｎｏ）、つまり既存情報のほうが割り込み情報よりも切り替えポイントが高い場合、処理はステップＳ１０５に進む。この場合、システムコントローラ２０は、既存画面を継続して表示すると共に、割り込み情報に対応するアイコンを表示する、つまり別の情報が割り込んだことをアイコンで通知する（ステップＳ１０５）。そして、処理は終了する。
【００８７】
以上説明した表示制御フローによれば、複数の情報に関する優先度及びユーザの嗜好性に基づいて、取得された情報の中から優先的に表示する情報を適切に決定することができる。特に、取得された情報の優先度が同一である場合に、ユーザの嗜好に合う情報やユーザにとって必要な情報を適切に表示させることができる。
【００８８】
次に、図８を参照して、切り替えポイントの設定フローについて説明する。このフローは、上記した表示制御フローの実行中や実行後に、システムコントローラ２０によって実行される。
【００８９】
まず、ステップＳ２０１では、システムコントローラ２０は、ユーザによって表示画面を切り替える操作が行われたか否かを判定する。具体的には、システムコントローラ２０は、表示画面を切り替えるために、ユーザによってアイコンが押下されたか否かを判定する。表示画面を切り替える操作が行われた場合（ステップＳ２０１；Ｙｅｓ）、処理はステップＳ２０２に進み、表示画面を切り替える操作が行われなかった場合（ステップＳ２０１；Ｎｏ）、処理はステップＳ２０１に戻る。
【００９０】
ステップＳ２０２では、システムコントローラ２０は、切り替えポイントを加算する処理を行う。具体的には、システムコントローラ２０は、ユーザによって操作されたアイコンに対応する情報の切り替えポイントを加算する処理を行う。そして、処理は終了する。
【００９１】
このような切り替えポイントの設定フローによれば、各情報ごとにユーザの嗜好性を適切に設定することができる。
【００９２】
［変形例］
上記では、取得された２以上の情報における優先度が異なる場合には、予め設定された優先度が高い情報を優先的に表示していたが、予め設定された優先度にユーザの嗜好性を加えた総合的な評価によって優先的に表示する情報を定めてもよい。この場合、予め設定された優先度を上記のように数値化（ポイント化）しておき、これに表示画面の切り替え操作に応じた切り替えポイントを加算して、合計で優先度を判断することが考えられる。なお、加算する切り替えポイントを直前の所定回数や直前の所定期間に制限するとともに、当該制限における切り替えポイントを全て加算しても到達しない程度の高ポイントを緊急情報等に予め設定しておくことで、緊急情報等のような最優先に表示させなければならない情報（例えば規格で表示が定められている情報）が表示されなくなることを防止できる。
【００９３】
上記では、表示中の情報とは異なる１つの情報が割り込んだ場合に行われる表示制御方法を示したが、表示中の情報とは異なる２以上の情報が割り込んだ場合にも、同様の表示制御方法を行うことができる。この場合には、表示中の情報を含めた３以上の情報の中から、優先度及び嗜好性に基づいて優先的に表示する情報を決定して、決定された情報に対応する画面を優先的に表示する制御を行うことができる。また、優先的に表示すると決定されなかった２以上の情報については、それぞれの情報に対応するアイコンを表示することができる。
【００９４】
上記では、ＤＳＲＣ情報、ＤＳＳＳ情報、及びビーコン情報を、表示に用いる複数の情報として示したが、これらの情報を用いることに限定はされない。他の例では、表示に用いる情報として、ＤＳＲＣ情報、ＤＳＳＳ情報、及びビーコン情報を用いると共に、若しくは、これらの情報を用いる代わりに、ナビゲーション用の情報を用いることができる。つまり、ナビゲーション用の情報に関しても、表示すべき２以上の情報が取得された場合に、優先度及び嗜好性に基づいて優先的に表示する情報を決定して、決定された情報に対応する画面を優先的に表示する制御を行うことができる。例えば、ナビゲーション用の情報としては、案内図に関する情報が用いられる。一例としては、分岐地点で表示される画面の情報が挙げられる。
【００９５】
上記では、車側の装置として、車載器及びナビゲーション装置を備えた構成を示したが、本発明の適用はこれに限定はされない。本発明は、車載器とナビゲーション装置とが一体化された構成にも適用することができる。
【００９６】
上記では、タッチパネル方式で構成された表示ユニット４０をユーザが操作することで情報を入力する構成を示したが、本発明の適用はこれに限定はされない。本発明は、キーや、スイッチや、ボタンや、リモコンや、音声などを用いてユーザが情報を入力する構成にも適用することができる。
【００９７】
本発明の適用は、ナビゲーション装置に限定されない。加えて、本発明の適用は、車載器に限定されない。本発明は、例えば携帯電話などの端末装置にも適用することができる。
【符号の説明】
【００９８】
１  ナビゲーション装置
２０  システムコントローラ
２０ａ  データ管理部
２０ｂ  表示制御部
２０ｃ  ナビ用ＵＩ
３８  通信装置
４０  表示ユニット
９１ａ  ＤＳＲＣ路側器
９１ｂ  ＤＳＳＳ路側器
９１ｃ  ビーコン路側器
９２ａ  ＤＳＲＣ車載器
９２ｂ  ＤＳＳＳ車載器
９２ｃ  ビーコン車載器
１００  通信システム
【図１】
2011095993.tif 000003
【図２】
2011095993.tif 000004
【図３】
2011095993.tif 000005
【図４】
2011095993.tif 000006
【図５】
2011095993.tif 000007
【図６】
2011095993.tif 000008
【図７】
2011095993.tif 000009
【図８】
2011095993.tif 000010